(57)【要約】【課題】磁石と磁気帯びシートとの間隔を調節することができる磁力式巻き爪陥入爪矯正具を提供する。【解決手段】本発明の磁力式巻き爪陥入爪矯正具は、爪に貼り付けられる磁気帯びシートと、接着剤又は磁石の磁力によって前記磁気帯びシートの上に接合されるボディと、ボディの外側に延びるアームと、アームの先端に設けられるヘッドと、ボディとアーム及びアームとヘッドを回動可能に結合する関節部と、からなる矯正具本体と、ヘッドに取り付けられる磁石と、が備えられる。【選択図】図１
2014133014.tif 000002
【特許請求の範囲】
【請求項１】
爪に貼り付けられる磁気帯びシートと、
接着剤又は磁石の磁力によって前記磁気帯びシートの上に接合されるボディと、前記ボディの外側に延びるアームと、前記アームの先端に設けられるヘッドと、前記ボディと前記アーム及び前記アームと前記ヘッドを回動可能に結合する関節部と、からなる矯正具本体と、
前記ヘッドに取り付けられる磁石と、が備えられることを特徴とする磁力式巻き爪陥入爪矯正具。
【請求項２】
前記ボディが、センターボディとサイドボディからなり、前記センターボディとサイドボディが回動可能に結合されることを特徴とする請求項１に記載の磁力式巻き爪陥入爪矯正具。
【請求項３】
前記センターボディとサイドボディの間に切り込み部が設けられることを特徴とする請求項２に記載の磁力式巻き爪陥入爪矯正具。
【発明の詳細な説明】
【技術分野】
【０００１】
本発明は、磁力式巻き爪陥入爪矯正具に係り、より詳しくは、爪を引っ張り上げる磁石と磁石シートの間の隙間を調節することができる磁力式巻き爪陥入爪矯正具に関する。
【背景技術】
【０００２】
従来、巻き爪や陥入爪の矯正には、医師による専門的な知識や特殊な技能を必要とし、施術に痛みを伴うなどの問題点があり、また、小指などの小さな爪の矯正は困難であった。
【０００３】
特許文献１の爪矯正具は、磁石を利用しているが、磁石と爪に貼り付けた磁性体との距離が近すぎて結合してしまう場合や、磁石が遠すぎて磁石の力が弱くなる場合があるので、装着状態を安定して維持しにくい。そこで、本発明者は、簡単に指に装着でき、装着状態で痛みを伴うことがなく、日常生活の邪魔にならずに装着状態を安定的に維持できる巻き爪矯正具を提案した。
【０００４】
特許文献１の爪矯正具は、爪の状況に応じて磁石の位置を調節することができない。磁石は、爪の上側に水平に位置するだけなので、爪の左右端では爪との間の間隔が広がりやすい。そのため、例えば磁石の外側端を爪に向かって傾けることができる爪矯正具が望まれる。
【先行技術文献】
【特許文献】
【０００５】
【特許文献１】特表２００９−５３１０８０号公報
【発明の概要】
【発明が解決しようとする課題】
【０００６】
本発明の目的は、爪を引っ張り上げる磁石と磁気帯びシートとの間隔を調節することができる磁力式巻き爪陥入爪矯正具を提供することにある。
【課題を解決するための手段】
【０００７】
本発明による磁力式巻き爪陥入爪矯正具は、爪に貼り付けられる磁気帯びシートと、接着剤又は磁石の磁力によって前記磁気帯びシートの上に接合されるボディと、前記ボディの外側に延びるアームと、前記アームの先端に設けられるヘッドと、前記ボディと前記アーム及び前記アームと前記ヘッドを回動可能に結合する関節部と、からなる矯正具本体と、前記ヘッドに取り付けられる磁石と、が備えられることを特徴とする。
【０００８】
前記ボディが、センターボディとサイドボディからなり、前記センターボディとサイドボディが回動可能に結合されることを特徴とする。
【０００９】
前記センターボディとサイドボディの間に切り込み部が設けられることを特徴とする。
【発明の効果】
【００１０】
本発明の磁力式巻き爪陥入爪矯正具によれば、ボディとアーム、アームとヘッドの間に回動可能に結合される関節部を設けたので、ヘッドに取り付けられた磁石と磁気帯びシートとの間隔を調節できる。つまり爪を引っ張り上げる磁石を爪の状態に合わせてより近距離に保つことができ、より高い矯正効果が期待できる。また、矯正具本体を指に挿入して装着する必要がなく、爪の部分に装着するので、わずらわしさがなく使用感が良い。さらに、アームとヘッドを傾けて、磁力が斜め中心方向に働くようにでき、かつ安定して維持できる。加えて、次のような効果もある。爪に貼った磁気帯びシートに矯正具本体を接着剤又は磁石の磁力によって接合するので、高度に専門的な技術を要さずに装着できる。薄くて弱い爪、厚い爪、変形した爪及び二次感染や炎症のため痛みの強い場合にも使用できる。磁石の磁力で爪に貼り付けた磁気帯びシートを引き上げるので、痛みを伴わない。矯正具本体がずれたりせず、装着状態を安定的に維持できる。アームを左右外側に張り出させ、その先に磁石を取り付けたヘッドを設けたので、爪の左右の前後方向を幅広く引き上げることができる。装着時に爪の手術を必要としないので、爪白癬、化膿性爪囲炎などの感染症、重篤な糖尿病、血流障害を有する者にも適する。材質を樹脂製ではなく金属製にした場合でも、皮膚に矯正具本体が接触しないため金属アレルギーを有する者にも使用できる。入浴や運動時にも外す必要がなく装着時間を長くでき矯正効果が上がる。
【００１１】
ボディをセンターボディとサイドボディで構成し、回動可能に結合したので、爪が湾曲していても平坦であっても、ボディを曲げて安定して接着できる。
【００１２】
前記センターボディとサイドボディの間に切り込み部を設けたので、簡単な構造で回動可能にできる。
【図面の簡単な説明】
【００１３】
【図１】本発明による磁力式巻き爪陥入爪矯正具の斜視図である。
【図２】図１の正面図である。
【図３】図１の磁力式巻き爪陥入爪矯正具の構成を示す分解図である。
【図４】図１の磁力式巻き爪陥入爪矯正具を巻き爪に適用した例である。
【図５】図１の磁力式巻き爪陥入爪矯正具を陥入爪に使用した例である。
【図６】本発明による磁力式巻き爪陥入爪矯正具の他の構成例である。
【図７】センターボディとサイドボディの間の切り込み部を示す図である。
【発明を実施するための形態】
【００１４】
以下、図面を参照して、本発明による磁力式巻き爪陥入爪矯正具を説明する。
【実施例】
【００１５】
図１は、本発明の磁力式巻き爪陥入爪矯正具１００の斜視図である。磁力式巻き爪陥入爪矯正具１００は、爪１０に貼り付ける磁気帯びシート１、接着剤又は磁石２の磁力によって磁気帯びシート１に接合される矯正具本体３、及び矯正具本体３に取り付けられ、磁気帯びシート１が貼られた爪１０を引き上げる磁石２からなる。磁気帯びシート１は、指６の爪５に接着剤で貼り付けることができる。なお、矯正具本体３は、樹脂製でも金属製でもよい。この実施例では、矯正具本体３の内部に磁石２を設けたが、外側に設けてもよい。
【００１６】
図２は、図１の正面図である。左右端の磁石２が、磁気帯びシート１が貼られた爪１０の左右の箇所を引き上げる。左右端の磁石２は、磁気帯びシート１に接触しないように所定の間隔に調節できる。矯正具本体３の中央部分は幅を有して磁気帯びシート１に磁石２によって磁気帯びシート１に接合されているので、例えば左端側が下方に押されても、右端側がやじろべえのように起き上がることはない。矯正具本体３と磁気帯びシート１を磁石２ではなく接着剤で接合すれば、より強固にできる。左右端の磁石２は、左右の先端が爪１０から離れて、間隔が大きくならないように、斜めに傾けることができる。
【００１７】
図３は、図１の磁力式巻き爪陥入爪矯正具の構成を示す分解図である。矯正具本体３は、内部に埋め込んだ磁石２ａの磁力によって磁気帯びシート１に接合されるボディ４と、ボディ４の左側と右側から外側に延びるアーム５と、アーム５の先端に設けられるヘッド６と、ボディ４とアーム５及びアーム５とヘッド６を回動可能に結合する関節部７と、からなる。磁石２ｂはヘッド６の内部に埋め込まれている。磁気帯びシート１は、爪１０の形状に合わせて切断され爪１０に貼り付けられる。関節部７によって、アーム５とヘッド６は、それぞれ回動させることができる。本実施例では、ボディ４をセンターボディ４ａと左右２つのサイドボディ４ｂの３つで構成した。センターボディ４ａとサイドボディ４ｂは、関節部７で回動可能に結合される。関節部７は、ヒンジピンによるヒンジ結合や凹凸嵌合による結合により回動可能にできる。その場合、所定の回動ができても、その位置にアームやヘッドを固定させておくことが十分でない場合は、接着剤で固定することができる。
【００１８】
図４は、図１の磁力式巻き爪陥入爪矯正具を巻き爪に適用した例である。図４は爪１０が全体に湾曲する巻き爪の例である。これに対応して、センターボディ４ａとサイドボディ４ｂの回動曲げ量を多くしている。
【００１９】
図５は、図１の磁力式巻き爪陥入爪矯正具を陥入爪に使用した例である。図５は爪１０が中央は比較的平坦であるが、左右の側縁が直角に変形して皮膚に食い込むいわいる陥入爪の例である。これに対応してセンターボディ４ａとサイドボディ４ｂの回動量を少なくして略水平にしている。
【００２０】
図６は、本発明による磁力式巻き爪陥入爪矯正具の他の構成例である。ボディ４は、センターボディ４ａとサイドボディ４ｂの２つで構成され、アーム５は、ボディ４の両側ではなく片側にのみ設けられる。爪１０の形によっては、ヘッド６が片側にのみある場合の方が便利である。
【００２１】
図７は、センターボディ４ａとサイドボディ４ｂの間の切り込み部を示す。図７では、センターボディ４ａとサイドボディ４ｂが同じ形状に形成され、その間に切り込み部８を設けている。このような構成によっても、ボディ４を図４のような巻き爪１０に対応して湾曲させ、図５のような陥入爪に対応してほぼ水平にできる。なお、切り込み部８は、容易に折れ曲がる程度にやわらかさが求められるので、矯正具本体３の材質としては樹脂が好ましい。
【００２２】
本実施例の磁力式巻き爪陥入爪矯正具１００によれば、爪１０とヘッド６の磁石２との間隔が調節可能で、また好ましい間隔に固定して維持できる。ヘッド６の磁石２と磁気帯びシート１が結合したり、遠く離れたりすることがなく、爪５に効果的な引き上げ力が与えられる。磁力式巻き爪陥入爪矯正具１００の装着期間は、４〜６カ月である。
【産業上の利用可能性】
【００２３】
本発明は、爪と爪を引っ張り上げる磁石との間隔を調節できる磁力式巻き爪陥入爪矯正具として好適である。
【符号の説明】
【００２４】
１    磁気帯びシート
２    磁石
２ａ    ボディに埋め込まれた磁石
２ｂ    ヘッドに埋め込まれた磁石
３    矯正具本体
４    ボディ
４ａ    センターボディ
４ｂ    サイドボディ
５    アーム
６    ヘッド
７    関節部
８    切込み部
９    間隔
１０    爪
２０    指
１００    磁力式巻き爪陥入爪矯正具
【図１】
2014133014.tif 000003
【図２】
2014133014.tif 000004
【図３】
2014133014.tif 000005
【図４】
2014133014.tif 000006
【図５】
2014133014.tif 000007
【図６】
2014133014.tif 000008
【図７】
2014133014.tif 000009
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
爪に貼り付けられる磁気帯びシートと、
接着剤又は磁石の磁力によって前記磁気帯びシートの上に接合されるボディと、前記ボディの外側に延びるアームと、前記アームの先端に設けられるヘッドと、前記ボディと前記アーム及び前記アームと前記ヘッドを回動可能に結合する関節部と、からなる矯正具本体と、
前記ヘッドに取り付けられる磁石と、が備えられ、
前記ボディが、センターボディとサイドボディからなり、前記センターボディとサイドボディの間に、前記センターボディとサイドボディを回動可能に結合する関節部が設けられていることを特徴とする磁力式巻き爪陥入爪矯正具。
【手続補正２】
【補正対象書類名】明細書
【補正対象項目名】０００７
【補正方法】変更
【補正の内容】
【０００７】
本発明による磁力式巻き爪陥入爪矯正具は、爪に貼り付けられる磁気帯びシートと、接着剤又は磁石の磁力によって前記磁気帯びシートの上に接合されるボディと、前記ボディの外側に延びるアームと、前記アームの先端に設けられるヘッドと、前記ボディと前記アーム及び前記アームと前記ヘッドを回動可能に結合する関節部と、からなる矯正具本体と、前記ヘッドに取り付けられる磁石と、が備えられ、前記ボディが、センターボディとサイドボディからなり、前記センターボディとサイドボディの間に、前記センターボディとサイドボディを回動可能に結合する関節部が設けられていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
さらに、ボディをセンターボディとサイドボディで構成し、回動可能に結合したので、爪が湾曲していても平坦であっても、ボディを曲げて安定して接着できる。
【手続補正６】
【補正対象書類名】明細書
【補正対象項目名】００１２
【補正方法】削除
【補正の内容】